(57)【要約】【課題】Ｘ線ＣＴ装置の待機時の消費電力を低減すること。【解決手段】実施形態のＸ線ＣＴ装置は、監視部と電力制御部とを備える。監視部は、Ｘ線管から照射され検出器が検出したＸ線検出データを収集する架台装置と、前記架台装置の撮像口に被検体を移動する寝台装置と、前記架台装置が収集したＸ線検出データを用いてＸ線ＣＴ画像データを再構成するコンソール装置との使用状態を監視する。電力制御部は、前記コンソール装置が前記使用状態で行なう処理を可能な状態で、前記コンソール装置の消費電力を低減した休止状態に移行させる。【選択図】図２
2014233556.tif 000002
【特許請求の範囲】
【請求項１】
Ｘ線管から照射され検出器が検出したＸ線検出データを収集する架台装置と、前記架台装置の撮像口に被検体を移動する寝台装置と、前記架台装置が収集したＸ線検出データを用いてＸ線ＣＴ画像データを再構成するコンソール装置との使用状態を監視する監視部と、
前記コンソール装置が前記使用状態で行なう処理を可能な状態で、前記コンソール装置の消費電力を低減した休止状態に移行させる電力制御部と、
を備えたことを特徴とするＸ線ＣＴ装置。
【請求項２】
前記監視部は、前記使用状態として、前記架台装置における前記Ｘ線管及び前記検出器の動作状態と、前記寝台装置の動作状態と、前記コンソール装置を構成する複数のハードウェアそれぞれの動作状態とを監視し、
前記電力制御部は、前記使用状態に基づいて、前記複数のハードウェアの中で、不使用のハードウェアを特定し、当該不使用のハードウェアを、前記休止状態に移行させることを特徴とする請求項１に記載のＸ線ＣＴ装置。
【請求項３】
前記電力制御部は、前記使用状態に基づいて、前記不使用のハードウェアの動作が開始されると判定した場合、当該不使用のハードウェアを前記休止状態から使用可能な状態に移行させることを特徴とする請求項２に記載のＸ線ＣＴ装置。
【請求項４】
監視対象のＸ線ＣＴ装置の使用状態を監視する監視部と、
前記監視対象のＸ線ＣＴ装置のコンソール装置が前記使用状態で行なう処理を可能な状態で、前記コンソール装置の消費電力を低減した休止状態に移行させる電力制御部と、
を備える管理装置。
【発明の詳細な説明】
【技術分野】
【０００１】
本発明の実施形態は、Ｘ線ＣＴ装置及び管理装置に関する。
【背景技術】
【０００２】
Ｘ線ＣＴ（Computed  Tomography）装置による検査では、Ｘ線ＣＴ装置は、例えば、架台装置に組み込まれた検出器やＸ線管を温めて一定の温度に保つ必要があるため、検査開始の所定時間前（例えば、３時間前）には、電源が投入される必要がある。また、救急で来院された患者の検査を何時でも開始可能とするために、緊急検査用のＸ線ＣＴ装置は、撮影予定が無い場合でも、電源が投入された待機状態とされる。
【０００３】
近年、Ｘ線ＣＴ装置の消費電力を下げる要望があり、例えば、検査の予約情報を用いて、Ｘ線ＣＴ装置における架台装置の電力モードを、検査の予約情報を用いて管理する方法が提案されている。しかし、検査待機時に、Ｘ線ＣＴ装置において最も電力を消費する装置は、制御用ＰＣ（Personal  Computer）等を搭載したコンソール装置である。また、待機時にもコンソール装置に電力を供給する必要があり、維持コストが増大し、ユーザへの負担も大きい。
【先行技術文献】
【特許文献】
【０００４】
【特許文献１】特開２０１２−３４７９１号公報
【発明の概要】
【発明が解決しようとする課題】
【０００５】
本発明が解決しようとする課題は、Ｘ線ＣＴ装置の待機時の消費電力を低減することができるＸ線ＣＴ装置及び管理装置を提供することである。
【課題を解決するための手段】
【０００６】
実施形態のＸ線ＣＴ装置は、監視部と電力制御部とを備える。監視部は、Ｘ線管から照射され検出器が検出したＸ線検出データを収集する架台装置と、前記架台装置の撮像口に被検体を移動する寝台装置と、前記架台装置が収集したＸ線検出データを用いてＸ線ＣＴ画像データを再構成するコンソール装置との使用状態を監視する。電力制御部は、前記コンソール装置が前記使用状態で行なう処理を可能な状態で、前記コンソール装置の消費電力を低減した休止状態に移行させる。
【図面の簡単な説明】
【０００７】
【図１】図１は、本実施形態に係るＸ線ＣＴ装置の外観図である。
【図２】図２は、本実施形態に係るＸ線ＣＴ装置の構成例を示すブロック図である。
【図３Ａ】図３Ａは、休止モードで監視部が行なう処理の一例を示す図（１）である。
【図３Ｂ】図３Ｂは、休止モードで監視部が行なう処理の一例を示す図（２）である。
【図４】図４は、休止モードで監視部が行なう処理の一例を示す図（３）である。
【図５Ａ】図５Ａは、電力制御部が行なう休止モードの一例を示す図（１）である。
【図５Ｂ】図５Ｂは、電力制御部が行なう休止モードの一例を示す図（２）である。
【図５Ｃ】図５Ｃは、電力制御部が行なう休止モードの一例を示す図（３）である。
【図５Ｄ】図５Ｄは、電力制御部が行なう休止モードの一例を示す図（４）である。
【図６】図６は、本実施形態に係るＸ線ＣＴ装置の休止モードでの処理の一例を示すフローチャートである。
【図７】図７は、復帰モードで監視部が行なう処理の一例を示す図である。
【図８】図８は、第１休止モードから復帰モードに移行する場合に、本実施形態に係るＸ線ＣＴ装置が行なう処理の一例を示すフローチャートである。
【図９】図９は、第２休止モードから復帰モードに移行する場合に、本実施形態に係るＸ線ＣＴ装置が行なう処理の一例を示すフローチャートである。
【図１０】図１０は、第３休止モードから復帰モードに移行する場合に、本実施形態に係るＸ線ＣＴ装置が行なう処理の一例を示すフローチャートである。
【図１１】図１１は、第４休止モードから復帰モードに移行する場合に、本実施形態に係るＸ線ＣＴ装置が行なう処理の一例を示すフローチャートである。
【図１２】図１２は、変形例を説明するための図である。
【発明を実施するための形態】
【０００８】
以下、添付図面を参照して、Ｘ線ＣＴ装置の実施形態を詳細に説明する。
【０００９】
（実施形態）
まず、本実施形態に係るＸ線ＣＴ装置の構成例について、図１及び図２を用いて説明する。図１は、本実施形態に係るＸ線ＣＴ装置の外観図であり、図２は、本実施形態に係るＸ線ＣＴ装置の構成例を示すブロック図である。
【００１０】
図１に示すように、本実施形態に係るＸ線ＣＴ装置は、架台装置１０と、寝台装置２０と、コンソール装置３０とを有する。また、図２に示すように、本実施形態に係るＸ線ＣＴ装置は、架台装置１０、寝台装置２０及びコンソール装置３０に加え、電源部４０を有する。
【００１１】
架台装置１０は、図２に示すように、Ｘ線照射制御部１１と、Ｘ線発生装置１２と、検出器１３と、収集部１４と、回転フレーム１５と、架台駆動部１６と、検出器制御部１７とを有する。架台装置１０は、Ｘ線発生装置１２が有するＸ線管１２ａから照射され検出器１３が検出したＸ線検出データを収集する装置である。また、架台装置１０は、Ｘ線検出データから投影データを生成する装置である。
【００１２】
回転フレーム１５は、Ｘ線発生装置１２と検出器１３とを被検体Ｐの周囲で回転可能に支持する。回転フレーム１５は、Ｘ線発生装置１２と検出器１３とを被検体Ｐを挟んで対向支持し、後述する架台駆動部１６によって被検体Ｐを中心とした円軌道にて高速に回転する円環状のフレームである。
【００１３】
Ｘ線発生装置１２は、Ｘ線を発生し、発生したＸ線を被検体Ｐへ照射する装置であり、Ｘ線管１２ａと、ウェッジ１２ｂと、コリメータ１２ｃとを有する。
【００１４】
Ｘ線管１２ａは、後述するＸ線照射制御部１１により供給される高電圧により被検体ＰにＸ線ビームを発生する真空管である。Ｘ線管１２ａは、回転フレーム１５の回転にともない、Ｘ線ビームを被検体Ｐに対して照射する。Ｘ線管１２ａは、ファン角及びコーン角を持って広がるＸ線ビームを発生する。
【００１５】
ウェッジ１２ｂは、Ｘ線管１２ａから照射されたＸ線のＸ線量を調節するためのＸ線フィルタである。ウェッジ１２ｂは、ボウタイフィルター（bow-tie  filter）とも呼ばれる。コリメータ１２ｃは、後述するＸ線照射制御部１１の制御により、ウェッジ１２ｂによってＸ線量が調節されたＸ線の照射範囲を絞り込むためのスリットである。
【００１６】
Ｘ線照射制御部１１は、高電圧発生部として、Ｘ線管１２ａに高電圧を供給する装置である。Ｘ線管１２ａは、Ｘ線照射制御部１１から供給される高電圧によりＸ線を発生する。Ｘ線照射制御部１１は、Ｘ線管１２ａに供給する管電圧や管電流を調整することで、被検体Ｐに対して照射されるＸ線量を調整する。また、Ｘ線照射制御部１１は、コリメータ１２ｃの開口度を調整することにより、Ｘ線の照射範囲（ファン角やコーン角）を調整する。
【００１７】
ここで、Ｘ線管１２ａは、陰極フィラメントと陽極ターゲットとを有する。陰極フィラメントは、Ｘ線照射制御部１１から供給されるフィラメント電流により所定の温度まで加熱されると、電子を放出可能となる。陰極フィラメントから放出された電子は、陰極フィラメントと陽極ターゲットとの間に印加された電圧に応じた速度で、陽極ターゲットに衝突する。これにより、Ｘ線管１２ａは、Ｘ線を発生する。また、電子が衝突することで、陽極ターゲットの温度は上昇する。このため、Ｘ線管１２ａには、Ｘ線の発生により蓄積された熱の過負荷による故障を防止するための冷却装置（図示せず）が取り付けられている。Ｘ線照射制御部１１は、陰極フィラメントの温度をフィラメント電流により制御するとともに、冷却装置による冷却を制御することで、Ｘ線管１２ａの温度管理を行なっている。Ｘ線ＣＴ画像データの撮影前には、Ｘ線管１２ａのウォームアップが必要となる。
【００１８】
架台駆動部１６は、回転フレーム１５を回転駆動させることによって、被検体Ｐを中心とした円軌道上でＸ線発生装置１２と検出器１３とを旋回させる。
【００１９】
検出器１３は、Ｘ線管１２ａから曝射され被検体Ｐを透過したＸ線を検出する。具体的には、検出器１３は、２次元状に配列された検出素子により、Ｘ線管１２ａから曝射されて被検体Ｐを透過したＸ線を検出する。図２に示す検出器１３は、被検体Ｐを透過したＸ線の強度分布を示すＸ線強度分布データを出力する２次元アレイ型検出器（面検出器）である。検出器１３には、チャンネル方向（図２に示すＹ軸方向）に配列された複数の検出素子（検出素子列）が、被検体Ｐの体軸方向（図２に示すＺ軸方向）に沿って複数列配列される。
【００２０】
ここで、検出器１３を構成する検出素子は、温度に依存してＸ線感度が変化する。このため、検出器１３には、ヒーター（図示せず）が接続されており、このヒーターは、各検出素子のＸ線感度を一定の範囲に保つための下限温度まで、検出器１３を加熱する。なお、このヒーターは、検出器１３の故障を防止するために、上限温度を超えないように、加熱を行なう。図２に示す検出器制御部１７は、検出器１３に接続されるヒーターを制御することで、検出器１３の温度管理を行なっている。Ｘ線ＣＴ画像データの撮影前には、検出器１３のウォームアップが必要となる。
【００２１】
収集部１４は、ＤＡＳ（Data  Acquisition  System）であり、検出器１３が検出したＸ線検出データを収集して、投影データを生成する。例えば、収集部１４は、検出器１３により検出されたＸ線強度分布データに対して、増幅処理やＡ／Ｄ変換処理等を行なって投影データを生成し、生成した投影データを後述するコンソール装置３０に送信する。
【００２２】
寝台装置２０は、被検体Ｐを載せる装置であり、天板２２と、寝台駆動装置２１とを有する。天板２２は、被検体Ｐが載置される板である。寝台駆動装置２１は、後述するスキャン制御部３３の制御のもと、天板２２を上下方向に移動する。また、寝台駆動装置２１は、後述するスキャン制御部３３の制御のもと、天板２２をＺ軸方向へ移動することにより、被検体Ｐを回転フレーム１５内（撮像口内）に移動させる。すなわち、寝台装置２０は、架台装置１０の撮像口に被検体Ｐを移動する装置である。
【００２３】
Ｘ線ＣＴ画像データ撮影時の寝台装置２０の動作について簡単に説明する。まず、撮影前は、天板２２は、架台装置１０から最も離れた最後端位置まで引き出された状態で、架台装置１０の外部で撮像口よりも最も低い位置（初期位置）に停止している。撮像を始める場合には、まず、天板２２に被検体Ｐが載置され、その後、操作者からの指示に基づいて、天板２２は、架台装置１０の撮像口の略中心と同じ高さまで上方向へ移動され、続いて、Ｚ軸方向（天板２２の長手方向）に沿って、最後端位置から被検体Ｐとともに撮像口内へ移動される。
【００２４】
天板２２が撮像口内へ移動されると、Ｘ線ＣＴ画像データの撮影が行われる。そして、撮影が終わると、天板２２は、被検体Ｐとともに撮像口の外に移動され、続いて、上記の初期位置まで下方向へ移動され、撮影が終了した被検体Ｐは、天板２２から降りる。
【００２５】
コンソール装置３０は、操作者によるＸ線ＣＴ装置の操作を受け付けるとともに、架台装置１０によって収集されたＸ線検出データ（投影データ）からＸ線ＣＴ画像データを再構成する装置である。コンソール装置３０は、図２に示すように、入力装置３１と、表示装置３２と、スキャン制御部３３と、前処理部３４と、投影データ記憶部３５と、画像再構成部３６と、画像記憶部３７と、制御部３８と、通信部３９とを有する。
【００２６】
入力装置３１は、Ｘ線ＣＴ装置の操作者が各種指示や各種設定の入力に用いるマウスやキーボード、ボタン、ペダル（フットスイッチ）等を有し、操作者から受け付けた指示や設定の情報を、制御部３８に転送する。
【００２７】
表示装置３２は、操作者が参照するモニタであり、制御部３８による制御のもと、Ｘ線ＣＴ画像データを操作者に表示したり、入力装置３１を介して操作者から各種指示や各種設定等を受け付けるためのＧＵＩ（Graphical  User  Interface）を表示したりする。
【００２８】
スキャン制御部３３は、後述する制御部３８の制御のもと、Ｘ線照射制御部１１、架台駆動部１６、検出器制御部１７、収集部１４及び寝台駆動装置２１の動作を制御することで、架台装置１０における投影データの収集処理を制御する。スキャン制御部３３は、例えば、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路である。
【００２９】
前処理部３４は、収集部１４によって生成された投影データに対して、チャンネル間の感度補正処理と、対数変換処理と、オフセット補正、感度補正及びビームハードニング補正等の補正処理とを行なって、補正済みの投影データを生成する。前処理部３４は、例えば、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路である。以下では、前処理部３４が生成する補正済みの投影データを「再構成用投影データ」と記載する。また、以下では、収集部１４によって生成された投影データを「補正前投影データ」と記載する。また、以下では、再構成用投影データと補正前投影データとを「投影データ」とまとめて記載する。
【００３０】
投影データ記憶部３５は、ハードディスク、半導体メモリ素子等であり、投影データを記憶する、すなわち、投影データ記憶部３５は、前処理部３４により生成された再構成用投影データを記憶する。また、投影データ記憶部３５は、収集部１４によって生成された補正前投影データを記憶する。
【００３１】
画像再構成部３６は、投影データ記憶部３５が記憶する再構成用投影データを用いてＸ線ＣＴ画像データを再構成する。画像再構成部３６は、例えば、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路である。再構成方法としては、種々の方法があり、例えば、逆投影処理が挙げられる。また、逆投影処理としては、例えば、ＦＢＰ（Filtered  Back  Projection）法による逆投影処理が挙げられる。或いは、画像再構成部３６は、逐次近似法を用いて、Ｘ線ＣＴ画像データを再構成しても良い。
【００３２】
画像記憶部３７は、ハードディスク、半導体メモリ素子等であり、画像再構成部３６が再構成したＸ線ＣＴ画像データを記憶する。  
【００３３】
なお、Ｘ線ＣＴ画像データは、リアルタイムで再構成される場合と、後処理として再構成される場合とがある。リアルタイム再構成では、架台装置１０によるＸ線検出データの収集処理と、前処理部３４による再構成用投影データの生成処理と、画像再構成部３６による再構成処理とが撮影中に行なわれる。ポスト再構成では、架台装置１０によるＸ線検出データの収集処理と、前処理部３４による再構成用投影データの生成処理とが撮影中に行なわれ、撮影後に、画像再構成部３６による再構成処理が行なわれる。
【００３４】
制御部３８は、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路であり、架台装置１０、寝台装置２０及びコンソール装置３０の動作を制御することによって、Ｘ線ＣＴ装置の全体制御を行う。具体的には、制御部３８は、スキャン制御部３３を制御することで、架台装置１０で行なわれるスキャンを制御する。なお、制御部３８とスキャン制御部３３とは、物理的に分離して構成される場合であっても、仮想的に分離して構成される場合であっても良い。また、制御部３８は、前処理部３４や、画像再構成部３６を制御することで、コンソール装置３０における画像再構成処理を制御する。
【００３５】
また、制御部３８は、操作者の要求に応じて、投影データ記憶部３５が記憶する投影データや、画像記憶部３７が記憶するＸ線ＣＴ画像データを、表示装置３２に表示するように制御する。
【００３６】
更に、本実施形態に係る制御部３８は、上記の制御処理を行なうとともに、図２に示すように、監視部３８１と電力制御部３８２とを有する。監視部３８１は、Ｘ線ＣＴ装置の使用状態を監視する。電力制御部３８２は、Ｘ線ＣＴ装置全体の消費電力を制御する。なお、監視部３８１及び電力制御部３８２が行なう処理については、後に詳述する。
【００３７】
通信部３９は、ＮＩＣ（Network  Interface  Card）等であり、ネットワークを介して、他の装置との間で通信を行う。例えば、通信部３９は、投影データ記憶部３５が記憶する投影データや、画像記憶部３７が記憶するＸ線ＣＴ画像データを、制御部３８の指示により、外部装置に転送する。かかる外部装置としては、読影を行なう医師が使用するＰＣ（Personal  Computer）や、医用画像データを保管するデータベース等が挙げられる。
【００３８】
電源部４０は、Ｘ線ＣＴ画像データの撮影に用いられる架台装置１０、寝台装置２０及びコンソール装置３０それぞれに電力を供給する電源である。電源部４０は、架台装置１０を構成する複数の装置それぞれに電力を供給する。また、電源部４０は、寝台装置２０を構成する複数の装置それぞれに電力を供給する。また、電源部４０は、コンソール装置３０を構成する複数の装置（ハードウェア）それぞれに電力を供給する。
【００３９】
ここで、Ｘ線ＣＴ検査を行なうためには、上述したように、検出器１３やＸ線管１２ａを温めて一定の温度に保つ必要があるため、検査開始の所定時間前（例えば、３時間前）には、電源が投入される必要がある。また、救急で来院された患者の検査を何時でも開始可能とするために、緊急検査用のＸ線ＣＴ装置は、撮影予定が無い場合でも、電源が投入された待機状態とされる。
【００４０】
近年、Ｘ線ＣＴ装置の消費電力を下げる要望がある。ここで、検査待機時に、Ｘ線ＣＴ装置において最も電力を消費する装置は、制御用の集積回路（制御部３８及びスキャン制御部３３）や、画像再構成用の集積回路（前処理部３４及び画像再構成部３６）を搭載したコンソール装置３０である。待機時では、コンソール装置３０に電力を供給する必要があり、維持コストが増大し、ユーザへの負担も大きい。
【００４１】
そこで、本実施形態では、Ｘ線ＣＴ装置の待機時の消費電力を低減するために、以下に説明する監視部３８１及び電力制御部３８２の処理が行なわれる。監視部３８１は、架台装置１０と寝台装置２０とコンソール装置３０との使用状態を監視する。そして、電力制御部３８２は、電源部４０を制御して、コンソール装置３０が使用状態で行なう処理を可能な状態で、コンソール装置３０の消費電力を低減した休止状態に移行させる。
【００４２】
具体的には、監視部３８１は、使用状態として、架台装置１０におけるＸ線管１２ａ及び検出器１３の動作状態と、寝台装置２０の動作状態と、コンソール装置３０を構成する複数のハードウェアそれぞれの動作状態とを監視する。そして、電力制御部３８２は、使用状態に基づいて、コンソール装置３０を構成する複数のハードウェアの中で、不使用のハードウェアを特定し、当該不使用のハードウェアを、休止状態に移行させる。
【００４３】
以下、休止状態に移行する休止モードにおいて、監視部３８１及び電力制御部３８２が行なう処理の一例について、図３Ａ、図３Ｂ、図４、図５Ａ、図５Ｂ、図５Ｃ、図５Ｄ及び図６を用いて説明する。図３Ａ、図３Ｂ及び図４は、休止モードで監視部が行なう処理の一例を示す図である。また、図５Ａ、図５Ｂ、図５Ｃ及び図５Ｄは、電力制御部が行なう休止モードの一例を示す図である。また、図６は、本実施形態に係るＸ線ＣＴ装置の休止モードでの処理の一例を示すフローチャートである。
【００４４】
監視部３８１は、図３Ａに示すように、架台装置１０におけるＸ線管１２ａ及び検出器１３の動作状態として、回転フレーム１５の回転数を監視する。監視部３８１は、スキャン制御部３３を制御する制御部３８内に設置されていることから、回転数を取得可能である。
【００４５】
回転フレーム１５が回転していない場合、監視部３８１は、ＣＴ撮影を実施していないと判断することができる。また、回転フレーム１５が回転し、回転数が略一定である場合、監視部３８１は、ＣＴ撮影を実施していると判断することができる。また、回転フレーム１５が回転しているが、回転数が変化している場合、監視部３８１は、監視を行った時期から後にＣＴ撮影が開始される、又は、ＣＴ撮影が終了したと判断することができる。
【００４６】
また、監視部３８１は、図３Ａに示すように、架台装置１０におけるＸ線管１２ａ及び検出器１３の動作状態として、Ｘ線管１２ａ及び検出器１３のウォームアップの有無を監視する。監視部３８１は、スキャン制御部３３を制御する制御部３８内に設置されていることから、ウォームアップが開始されているか否かの情報を取得可能である。なお、ウォームアップは、通常、ＣＴ撮影開始前に操作者が入力装置３１を用いて開始指示を入力することで開始される。監視部３８１は、制御部３８が取得したウォームアップ開始指示の有無を用いて、ウォームアップが開始されているか否かの情報を取得しても良い。
【００４７】
ウォームアップが開始されていない場合、監視部３８１は、ＣＴ撮影の実施予定が無いと判断することができる。また、ウォームアップが開始されている場合、監視部３８１は、ＣＴ撮影が実施予定であると判断することができる。
【００４８】
また、監視部３８１は、図３Ａに示すように、寝台装置２０の動作状態として、天板２２の高さと、天板２２の長手方向の位置とを監視する。具体的には、監視部３８１は、天板２２の位置が、最後端位置で停止しているか、最後端位置から変化しているかを監視する。また、監視部３８１は、天板２２の高さが、最も低い位置（初期位置）で停止しているか、初期位置から変化しているかを監視する。監視部３８１は、スキャン制御部３３を制御する制御部３８内に設置されていることから、天板２２の高さと、天板２２の長手方向の位置とを取得可能である。
【００４９】
天板２２の位置が最後端位置で停止している場合、又は、天板２２の高さが最も低い位置で停止している場合、監視部３８１は、ＣＴ撮影を実施していないと判断することができる。また、天板２２の位置が最後端位置から変化している場合、又は、天板２２の高さが初期位置から変化している場合、監視を行った時期から後にＣＴ撮影が開始されると判断することができる。
【００５０】
また、監視部３８１は、図３Ｂに示すように、コンソール装置３０の動作状態として、再構成処理の有無を監視する。すなわち、監視部３８１は、画像再構成部３６がリアルタイム再構成、又は、ポスト再構成を行なっているか否かを監視する。また、監視部３８１は、図３Ｂに示すように、コンソール装置３０の動作状態として、操作者による再構成画像データ（Ｘ線ＣＴ画像データ）の確認の有無を監視する。具体的には、監視部３８１は、操作者の要求に応じて、自装置が内蔵される制御部３８が画像記憶部３７から再構成画像データを読み出し、読み出した再構成画像データを、表示装置３２に表示させたり、通信部３９を介して外部装置へ転送させたりしているかを判定する。
【００５１】
また、監視部３８１は、図３Ｂに示すように、コンソール装置３０の動作状態として、操作者による投影データの確認の有無を監視する。具体的には、監視部３８１は、操作者の要求に応じて、自装置が内蔵される制御部３８が投影データ記憶部３５から投影データを読み出し、読み出した投影データを、表示装置３２に表示させたり、通信部３９を介して外部装置へ転送させたりしているかを判定する。
【００５２】
図３Ａ及び図３Ｂを用いて説明した監視ポイントにより、監視部３８１は、Ｘ線ＣＴ装置の使用状態を、図４に示すように、使用状態Ａ〜使用状態Ｇの７つに大別する。監視部３８１は、例えば、操作者が指定した監視開示時間となった場合に、一定時間内でのＸ線ＣＴ装置の使用状態が、使用状態Ａ〜使用状態Ｇのいずれかであるかを判定する。
【００５３】
監視部３８１は、図４に示すように、監視の結果、一定時間内にＣＴ撮影を実施していると判断した場合、Ｘ線ＣＴ装置の使用状態が「使用状態Ａ」に該当すると判定する。「使用状態Ａ」である場合、電力制御部３８２は、コンソール装置３０の各ハードウェアを休止状態に移行せず、動作状態に維持する。具体的には、電力制御部３８２は、制御部３８、前処理部３４、投影データ記憶部３５、画像再構成部３６及び画像記憶部３７を動作状態に維持する。
【００５４】
また、監視部３８１は、図４に示すように、監視の結果、一定時間内に画像再構成を実施していると判断した場合、Ｘ線ＣＴ装置の使用状態が「使用状態Ｂ」に該当すると判定する。具体的には、監視部３８１は、「使用状態Ａ」でなく、一定時間内に画像再構成を実施していると判断した場合、Ｘ線ＣＴ装置の使用状態が「使用状態Ｂ」に該当すると判定する。「使用状態Ｂ」は、ポスト再構成が行なわれている状態である。「使用状態Ｂ」である場合、電力制御部３８２は、図５Ａに示す第１休止モードに、コンソール装置３０を移行する。第１休止モードは、図５Ａに示すように、制御部３８、投影データ記憶部３５、画像再構成部３６及び画像記憶部３７を、再構成処理可能な動作状態に維持し、「使用状態Ｂ」で使用されない「前処理部３４」を休止状態に移行させる休止モードである。
【００５５】
また、監視部３８１は、図４に示すように、監視の結果、「使用状態Ａ」でなく、一定時間内に再構成画像データの確認を実施していると判断した場合、Ｘ線ＣＴ装置の使用状態が「使用状態Ｃ」に該当すると判定する。「使用状態Ｃ」である場合、電力制御部３８２は、図５Ｂに示す第２休止モードに、コンソール装置３０を移行する。第２休止モードは、図５Ｂに示すように、制御部３８及び画像記憶部３７を、再構成画像データが出力可能な動作状態に維持し、「使用状態Ｃ」で使用されない「前処理部３４、投影データ記憶部３５及び画像再構成部３６」を休止状態に移行させる休止モードである。
【００５６】
また、監視部３８１は、図４に示すように、監視の結果、「使用状態Ａ」でなく、一定時間内に投影データの確認を実施していると判断した場合、Ｘ線ＣＴ装置の使用状態が「使用状態Ｄ」に該当すると判定する。「使用状態Ｄ」である場合、電力制御部３８２は、図５Ｃに示す第３休止モードに、コンソール装置３０を移行する。第３休止モードは、図５Ｃに示すように、制御部３８及び投影データ記憶部３５を、投影データが出力可能な動作状態に維持し、「使用状態Ｄ」で使用されない「前処理部３４、画像再構成部３６及び画像記憶部３７」を休止状態に移行させる休止モードである。
【００５７】
また、監視部３８１は、図４に示すように、監視の結果、「使用状態Ａ」でなく、天板２２の位置が最後端位置に引き出された状態から一定時間内で変化していると判断した場合、Ｘ線ＣＴ装置の使用状態が「使用状態Ｅ」に該当すると判定する。また、監視部３８１は、図４に示すように、監視の結果、「使用状態Ａ」でなく、天板２２の高さが最も低い位置の状態から一定時間内で変化していると判断した場合、Ｘ線ＣＴ装置の使用状態が「使用状態Ｆ」に該当すると判定する。また、監視部３８１は、図４に示すように、監視の結果、「使用状態Ａ」でなく、回転フレーム１５の回転が、一定時間内で変化していると判断した場合、Ｘ線ＣＴ装置の使用状態が「使用状態Ｇ」に該当すると判定する。
【００５８】
「使用状態Ｅ」、又は、「使用状態Ｆ」、又は、「使用状態Ｇ」である場合、電力制御部３８２は、図５Ｄに示す第４休止モードに、コンソール装置３０を移行する。第４休止モードは、図５Ｄに示すように、監視部３８１による監視が可能なように、制御部３８を動作状態に維持し、監視に使用されない「前処理部３４、投影データ記憶部３５、画像再構成部３６及び画像記憶部３７」を休止状態に移行させる休止モードである。
【００５９】
上記の使用状態及び休止モードが設定された状態で、監視部３８１及び電力制御部３８２が行なう処理について、図６を用いて説明する。
【００６０】
図６に示すように、本実施形態に係るＸ線ＣＴ装置の監視部３８１は、監視開始時間となると、Ｘ線ＣＴ装置の使用状態が使用状態Ａに該当するか否かを判定する（ステップＳ１０１）。ここで、Ｘ線ＣＴ装置の使用状態が使用状態Ａに該当する場合（ステップＳ１０１肯定）、電力制御部３８２は、コンソール装置３０を動作モードに維持し、監視部３８１は、一定時間待機し（ステップＳ１０２）、一定時間経過後に、再度、ステップＳ１０１の判定を行なう。
【００６１】
一方、Ｘ線ＣＴ装置の使用状態が使用状態Ａに該当しない場合（ステップＳ１０１否定）、監視部３８１は、Ｘ線ＣＴ装置の使用状態が使用状態Ｂに該当するか否かを判定する（ステップＳ１０３）。ここで、Ｘ線ＣＴ装置の使用状態が使用状態Ｂに該当する場合（ステップＳ１０３肯定）、電力制御部３８２は、コンソール装置３０を第１休止モードに移行し（ステップＳ１０４、図５Ａ参照）、処理を終了する。
【００６２】
一方、Ｘ線ＣＴ装置の使用状態が使用状態Ｂに該当しない場合（ステップＳ１０３否定）、監視部３８１は、Ｘ線ＣＴ装置の使用状態が使用状態Ｃに該当するか否かを判定する（ステップＳ１０５）。ここで、Ｘ線ＣＴ装置の使用状態が使用状態Ｃに該当する場合（ステップＳ１０５肯定）、電力制御部３８２は、コンソール装置３０を第２休止モードに移行し（ステップＳ１０６、図５Ｂ参照）、処理を終了する。
【００６３】
一方、Ｘ線ＣＴ装置の使用状態が使用状態Ｃに該当しない場合（ステップＳ１０５否定）、監視部３８１は、Ｘ線ＣＴ装置の使用状態が使用状態Ｄに該当するか否かを判定する（ステップＳ１０７）。ここで、Ｘ線ＣＴ装置の使用状態が使用状態Ｄに該当する場合（ステップＳ１０７肯定）、電力制御部３８２は、コンソール装置３０を第３休止モードに移行し（ステップＳ１０８、図５Ｃ参照）、処理を終了する。
【００６４】
一方、Ｘ線ＣＴ装置の使用状態が使用状態Ｄに該当しない場合（ステップＳ１０７否定）、監視部３８１は、Ｘ線ＣＴ装置の使用状態が使用状態Ｅに該当するか否かを判定する（ステップＳ１０９）。ここで、Ｘ線ＣＴ装置の使用状態が使用状態Ｅに該当する場合（ステップＳ１０９肯定）、電力制御部３８２は、コンソール装置３０を第４休止モードに移行し（ステップＳ１１０、図５Ｄ参照）、処理を終了する。
【００６５】
一方、Ｘ線ＣＴ装置の使用状態が使用状態Ｅに該当しない場合（ステップＳ１０９否定）、監視部３８１は、Ｘ線ＣＴ装置の使用状態が使用状態Ｆに該当するか否かを判定する（ステップＳ１１１）。ここで、Ｘ線ＣＴ装置の使用状態が使用状態Ｆに該当する場合（ステップＳ１１１肯定）、電力制御部３８２は、コンソール装置３０を第４休止モードに移行し（ステップＳ１１０、図５Ｄ参照）、処理を終了する。
【００６６】
一方、Ｘ線ＣＴ装置の使用状態が使用状態Ｆに該当しない場合（ステップＳ１１１否定）、監視部３８１は、Ｘ線ＣＴ装置の使用状態が使用状態Ｇに該当するか否かを判定する（ステップＳ１１２）。ここで、Ｘ線ＣＴ装置の使用状態が使用状態Ｇに該当する場合（ステップＳ１１１肯定）、電力制御部３８２は、コンソール装置３０を第４休止モードに移行し（ステップＳ１１０、図５Ｄ参照）、処理を終了する。
【００６７】
一方、Ｘ線ＣＴ装置の使用状態が使用状態Ｇに該当しない場合（ステップＳ１１２否定）、監視部３８１及び電力制御部３８２は、処理を終了する。なお、Ｘ線ＣＴ装置の使用状態が使用状態Ａ〜Ｇのいずれにも該当しないことは、実際には無く、コンソール装置３０の状態は、全処理を実行可能な動作モードか、第１休止モード〜第４休止モードのいずれかとなる。
【００６８】
なお、上記の監視開始時間及び一定時間は、操作者により任意の値に変更可能である。また、上記の監視開始時間は、１日の間に１つ設定される場合でも、複数設定される場合であっても良い。
【００６９】
以上、コンソール装置３０を休止モードに移行させる際に、監視部３８１及び電力制御部３８２が行なう処理の一例について説明した。以下では、休止モードのコンソール装置３０を復帰させる復帰モードにおいて、監視部３８１及び電力制御部３８２が行なう処理の一例について説明する。
【００７０】
監視部３８１は、コンソール装置３０が休止モードに移行された場合、Ｘ線ＣＴ装置の使用状態を常に監視する。そして、電力制御部３８２は、使用状態に基づいて、不使用のハードウェアの動作が開始されると判定した場合、当該不使用のハードウェアを休止状態から使用可能な状態に移行させる。電力制御部３８２は、電源部４０を制御することで、不使用のハードウェアを休止状態から使用可能な状態に移行させる。
【００７１】
以下、復帰モードにおいて、監視部３８１及び電力制御部３８２が行なう処理の一例について、図７〜図１１を用いて説明する。図７は、復帰モードで監視部が行なう処理の一例を示す図である。また、図８は、第１休止モードから復帰モードに移行する場合に、本実施形態に係るＸ線ＣＴ装置が行なう処理の一例を示すフローチャートである。
【００７２】
復帰モードでは、監視部３８１は、Ｘ線ＣＴ装置の使用状態を、図７に示すように、使用状態Ａ’〜使用状態Ｇ’の７つに大別する。
【００７３】
監視部３８１は、図７に示すように、監視の結果、管球系（Ｘ線管１２ａ等）及び検出系（検出器１３等）のウォームアップが開始された場合、Ｘ線ＣＴ装置の使用状態が「使用状態Ａ’」に該当すると判定する。例えば、監視部３８１は、操作者が入力したウォームアップ開始指示が入力装置３１から制御部３８に転送された場合、ウォームアップが開始されたと判断する。或いは、例えば、監視部３８１は、制御部３８がスキャン制御部３３に、ウォームアップ開始指示を行なった場合、ウォームアップが開始されたと判断する。
【００７４】
また、監視部３８１は、図７に示すように、監視の結果、画像再構成が開始された場合、Ｘ線ＣＴ装置の使用状態が「使用状態Ｂ’」に該当すると判定する。例えば、監視部３８１は、操作者が入力した再構成開始指示が入力装置３１から制御部３８に転送された場合、画像再構成が開始されたと判断する。或いは、例えば、監視部３８１は、制御部３８が画像再構成部３６に、画像再構成開始指示を行なった場合、画像再構成が開始されたと判断する。
【００７５】
また、監視部３８１は、図７に示すように、監視の結果、再構成画像データの確認が開始された場合、Ｘ線ＣＴ装置の使用状態が「使用状態Ｃ’」に該当すると判定する。例えば、監視部３８１は、操作者が入力した再構成画像データの読み出し指示が入力装置３１から制御部３８に転送された場合、再構成画像データの確認が開始されたと判断する。或いは、例えば、監視部３８１は、制御部３８が画像記憶部３７にアクセスした場合、再構成画像データの確認が開始されたと判断する。
【００７６】
また、監視部３８１は、図７に示すように、監視の結果、投影データの確認が開始された場合、Ｘ線ＣＴ装置の使用状態が「使用状態Ｄ’」に該当すると判定する。例えば、監視部３８１は、操作者が入力した投影データの読み出し指示が入力装置３１から制御部３８に転送された場合、投影データの確認が開始されたと判断する。或いは、例えば、監視部３８１は、制御部３８が投影データ記憶部３５にアクセスした場合、投影データの確認が開始されたと判断する。
【００７７】
また、監視部３８１は、図７に示すように、監視の結果、天板２２の位置が最後端位置から変更された場合、Ｘ線ＣＴ装置の使用状態が「使用状態Ｅ’」に該当すると判定する。また、監視部３８１は、図７に示すように、監視の結果、天板２２の高さが最も低い位置から変更された場合、Ｘ線ＣＴ装置の使用状態が「使用状態Ｆ’」に該当すると判定する。例えば、監視部３８１は、天板２２の移動開始指示が入力装置３１から制御部３８に転送された場合、移動開始指示の内容に応じて、Ｘ線ＣＴ装置の使用状態が「使用状態Ｅ’」又は「使用状態Ｆ’」であると判断する。或いは、例えば、監視部３８１は、制御部３８がスキャン制御部３３に対して行なった天板２２の移動開始指示の内容に応じて、Ｘ線ＣＴ装置の使用状態が「使用状態Ｅ’」又は「使用状態Ｆ’」であると判断する。
【００７８】
また、監視部３８１は、図７に示すように、監視の結果、回転フレーム１５の回転が開始された場合、Ｘ線ＣＴ装置の使用状態が「使用状態Ｇ’」に該当すると判定する。例えば、監視部３８１は、操作者が入力した回転開始が入力装置３１から制御部３８に転送された場合、回転フレーム１５の回転が開始されたと判断する。或いは、例えば、監視部３８１は、制御部３８がスキャン制御部３３に回転開始指示を行なった場合、回転フレーム１５の回転が開始されたと判断する。
【００７９】
以下、上述した監視部３８１の監視結果に基づいて行なわれる復帰処理について、フローチャートを用いて説明する。再構成処理のみが実行可能なようにコンソール装置３０が第１休止モードの場合、監視部３８１は、図８に示すように、Ｘ線ＣＴ装置の使用状態が、使用状態Ａ’、Ｅ’〜Ｇ’のいずれかに該当するか否かを判定する（ステップＳ２０１）。ここで、Ｘ線ＣＴ装置の使用状態が、使用状態Ａ’、Ｅ’〜Ｇ’のいずれかに該当する場合（ステップＳ２０１肯定）、ＣＴ撮影が開始されることから、電力制御部３８２は、休止中の全ユニット（図５Ａに示す前処理部３４）を復帰させ（ステップＳ２０２）、処理を終了する。
【００８０】
一方、Ｘ線ＣＴ装置の使用状態が使用状態Ａ’、Ｅ’〜Ｇ’のいずれでもない場合（ステップＳ２０１否定）、電力制御部３８２は、復帰処理を行なわずに処理を終了する。
【００８１】
また、再構成画像データ出力処理のみが実行可能なようにコンソール装置３０が第２休止モードの場合、監視部３８１は、図９に示すように、Ｘ線ＣＴ装置の使用状態が、使用状態Ａ’、Ｅ’〜Ｇ’のいずれかに該当するか否かを判定する（ステップＳ３０１）。ここで、Ｘ線ＣＴ装置の使用状態が、使用状態Ａ’、Ｅ’〜Ｇ’のいずれかに該当する場合（ステップＳ３０１肯定）、ＣＴ撮影が開始されることから、電力制御部３８２は、休止中の前処理部３４、投影データ記憶部３５及び画像再構成部３６を復帰させ（ステップＳ３０２）、処理を終了する。
【００８２】
一方、Ｘ線ＣＴ装置の使用状態が使用状態Ａ’、Ｅ’〜Ｇ’のいずれでもない場合（ステップＳ３０１否定）、監視部３８１は、Ｘ線ＣＴ装置の使用状態が使用状態Ｂ’に該当するか否かを判定する（ステップＳ３０３）。ここで、Ｘ線ＣＴ装置の使用状態が、使用状態Ｂ’に該当する場合（ステップＳ３０３肯定）、電力制御部３８２は、休止中の投影データ記憶部３５及び画像再構成部３６を復帰させ（ステップＳ３０４）、処理を終了する。
【００８３】
一方、Ｘ線ＣＴ装置の使用状態が使用状態Ｂ’でない場合（ステップＳ３０３否定）、監視部３８１は、Ｘ線ＣＴ装置の使用状態が使用状態Ｄ’に該当するか否かを判定する（ステップＳ３０５）。ここで、Ｘ線ＣＴ装置の使用状態が、使用状態Ｄ’に該当する場合（ステップＳ３０５肯定）、電力制御部３８２は、休止中の投影データ記憶部３５を復帰させ（ステップＳ３０６）、処理を終了する。
【００８４】
一方、Ｘ線ＣＴ装置の使用状態が、使用状態Ｄ’に該当しない場合（ステップＳ３０５否定）、電力制御部３８２は、復帰処理を行なわずに処理を終了する。
【００８５】
また、投影データ出力処理のみが実行可能なようにコンソール装置３０が第３休止モードの場合、監視部３８１は、図１０に示すように、Ｘ線ＣＴ装置の使用状態が、使用状態Ａ’、Ｅ’〜Ｇ’のいずれかに該当するか否かを判定する（ステップＳ４０１）。ここで、Ｘ線ＣＴ装置の使用状態が、使用状態Ａ’、Ｅ’〜Ｇ’のいずれかに該当する場合（ステップＳ４０１肯定）、ＣＴ撮影が開始されることから、電力制御部３８２は、休止中の前処理部３４、画像再構成部３６及び画像記憶部３７を復帰させ（ステップＳ４０２）、処理を終了する。
【００８６】
一方、Ｘ線ＣＴ装置の使用状態が使用状態Ａ’、Ｅ’〜Ｇ’のいずれでもない場合（ステップＳ４０１否定）、監視部３８１は、Ｘ線ＣＴ装置の使用状態が使用状態Ｂ’に該当するか否かを判定する（ステップＳ４０３）。ここで、Ｘ線ＣＴ装置の使用状態が、使用状態Ｂ’に該当する場合（ステップＳ４０３肯定）、電力制御部３８２は、休止中の画像再構成部３６及び画像記憶部３７を復帰させ（ステップＳ４０４）、処理を終了する。
【００８７】
一方、Ｘ線ＣＴ装置の使用状態が使用状態Ｂ’でない場合（ステップＳ４０３否定）、監視部３８１は、Ｘ線ＣＴ装置の使用状態が使用状態Ｃ’に該当するか否かを判定する（ステップＳ４０５）。ここで、Ｘ線ＣＴ装置の使用状態が、使用状態Ｃ’に該当する場合（ステップＳ４０５肯定）、電力制御部３８２は、休止中の画像記憶部３７を復帰させ（ステップＳ４０６）、処理を終了する。
【００８８】
一方、Ｘ線ＣＴ装置の使用状態が、使用状態Ｃ’に該当しない場合（ステップＳ４０５否定）、電力制御部３８２は、復帰処理を行なわずに処理を終了する。
【００８９】
また、監視処理のみが実行可能なようにコンソール装置３０が第４休止モードの場合、監視部３８１は、図１１に示すように、Ｘ線ＣＴ装置の使用状態が、使用状態Ａ’、Ｅ’〜Ｇ’のいずれかに該当するか否かを判定する（ステップＳ５０１）。ここで、Ｘ線ＣＴ装置の使用状態が、使用状態Ａ’、Ｅ’〜Ｇ’のいずれかに該当する場合（ステップＳ５０１肯定）、ＣＴ撮影が開始されることから、電力制御部３８２は、休止中の前処理部３４、投影データ記憶部３５、画像再構成部３６及び画像記憶部３７を復帰させ（ステップＳ５０２）、処理を終了する。
【００９０】
一方、Ｘ線ＣＴ装置の使用状態が使用状態Ａ’、Ｅ’〜Ｇ’のいずれでもない場合（ステップＳ５０１否定）、監視部３８１は、Ｘ線ＣＴ装置の使用状態が使用状態Ｂ’に該当するか否かを判定する（ステップＳ５０３）。ここで、Ｘ線ＣＴ装置の使用状態が、使用状態Ｂ’に該当する場合（ステップＳ５０３肯定）、電力制御部３８２は、休止中の投影データ記憶部３５、画像再構成部３６及び画像記憶部３７を復帰させ（ステップＳ５０４）、処理を終了する。
【００９１】
一方、Ｘ線ＣＴ装置の使用状態が使用状態Ｂ’でない場合（ステップＳ５０３否定）、監視部３８１は、Ｘ線ＣＴ装置の使用状態が使用状態Ｃ’に該当するか否かを判定する（ステップＳ５０５）。ここで、Ｘ線ＣＴ装置の使用状態が、使用状態Ｃ’に該当する場合（ステップＳ５０５肯定）、電力制御部３８２は、休止中の画像記憶部３７を復帰させ（ステップＳ５０６）、処理を終了する。
【００９２】
一方、Ｘ線ＣＴ装置の使用状態が使用状態Ｃ’でない場合（ステップＳ５０５否定）、監視部３８１は、Ｘ線ＣＴ装置の使用状態が使用状態Ｄ’に該当するか否かを判定する（ステップＳ５０７）。ここで、Ｘ線ＣＴ装置の使用状態が、使用状態Ｄ’に該当する場合（ステップＳ５０７肯定）、電力制御部３８２は、休止中の投影データ記憶部３５を復帰させ（ステップＳ５０８）、処理を終了する。
【００９３】
一方、Ｘ線ＣＴ装置の使用状態が、使用状態Ｄ’に該当しない場合（ステップＳ５０７否定）、電力制御部３８２は、復帰処理を行なわずに処理を終了する。
【００９４】
上述したように、本実施形態では、Ｘ線ＣＴ装置の動作を監視することで判定した使用状態が継続可能なように、コンソール装置３０で当該使用状態に使用されないハードウェアを休止状態に移行する。従って、本実施形態では、Ｘ線ＣＴ装置の待機時の消費電力を低減することができる。また、本実施形態では、Ｘ線ＣＴ装置の待機時の消費電力を低減することで、Ｘ線ＣＴ装置の維持コストが軽減し、ユーザへの負担を軽減させることができる。
【００９５】
また、本実施形態では、使用状態に基づいて、休止状態のハードウェアの動作が開始されると判定した場合、当該休止状態のハードウェアを使用可能な状態に移行する。すなわち、本実施形態では、休止状態のハードウェアの中から、必要とされるハードウェアのみを復帰させる。従って、本実施形態では、Ｘ線ＣＴ装置の消費電力を最低限の電力にした状態で、Ｘ線ＣＴ装置を用いた処理を速やかに開始することができる。
【００９６】
なお、上記の実施形態では、制御部３８の内部に監視部３８１及び電力制御部３８２が設置される場合について説明した。しかし、上記の監視部３８１及び電力制御部３８２により行なわれる消費電力の管理方法は、Ｘ線ＣＴ装置とは独立に設置された管理装置により行なわれる場合であっても良い。かかる変形例では、管理装置の監視部は、監視対象のＸ線ＣＴ装置の使用状態を監視する。そして、管理装置の電力制御部は、監視対象のＸ線ＣＴ装置のコンソール装置が使用状態で行なう処理を可能な状態で、コンソール装置の消費電力を低減した休止状態に移行させる。例えば、かかる管理装置は、図１に示す監視対象のＸ線ＣＴ装置の制御部３８と通信を行なうことで、消費電力の管理を行なう。図１２は、変形例を説明するための図である。
【００９７】
例えば、変形例に係る管理システムは、図１２に示すように、管理装置１００と、医用画像データを保管するデータベースであるデータ保管装置２００と、Ｘ線ＣＴ装置３００−１と、Ｘ線ＣＴ装置３００−２と、Ｘ線ＣＴ装置３００−３とを有する。図１２に例示する各装置は、例えば、病院内に設置された院内のＬＡＮ（Local  Area  Network）４００により、通信可能な状態となっている。
【００９８】
管理装置１００は、Ｘ線ＣＴ装置３００−１と、Ｘ線ＣＴ装置３００−２と、Ｘ線ＣＴ装置３００−３とを監視対象とする。管理装置１００の監視部は、Ｘ線ＣＴ装置３００−１の制御部を監視して、Ｘ線ＣＴ装置３００−１の使用状態を監視する。そして、管理装置１００の電力制御部は、Ｘ線ＣＴ装置３００−１の使用状態に基づいて、Ｘ線ＣＴ装置３００−１のコンソール装置を休止モードに移行する。また、管理装置１００の監視部は、Ｘ線ＣＴ装置３００−１の制御部を監視して、使用状態を監視し、管理装置１００の電力制御部は、当該使用状態に基づいて、休止状態に移行させた各ハードウェアを復帰させる。また、管理装置１００は、Ｘ線ＣＴ装置３００−２及びＸ線ＣＴ装置３００−３に対しても、同様に行なう。
【００９９】
上記の変形例では、１台の管理装置１００を用いて、監視対象の複数のＸ線ＣＴ装置それぞれの待機時の消費電力が低減されるように、一元管理することができる。
【０１００】
なお、上記の実施形態及び変形例で図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。更に、各装置にて行なわれる各処理機能は、その全部又は任意の一部が、ＣＰＵ及び当該ＣＰＵにて解析実行されるプログラムにて実現され、或いは、ワイヤードロジックによるハードウェアとして実現され得る。
【０１０１】
また、上記の実施形態及び変形例で説明した管理方法は、予め用意された管理プログラムをパーソナルコンピュータやワークステーション等のコンピュータで実行することによって実現することができる。この管理プログラムは、インターネット等のネットワークを介して配布することができる。また、この管理プログラムは、ハードディスク、フレキシブルディスク（ＦＤ）、ＣＤ−ＲＯＭ、ＭＯ、ＤＶＤ等のコンピュータで読み取り可能な記録媒体に記録され、コンピュータによって記録媒体から読み出されることによって実行することもできる。
【０１０２】
以上、説明したとおり、実施形態及び変形例によれば、Ｘ線ＣＴ装置の待機時の消費電力を低減することができる。
【０１０３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０４】
３８  制御部
３８１  監視部
３８２  電力制御部
【図１】
2014233556.tif 000003
【図２】
2014233556.tif 000004
【図３Ａ】
2014233556.tif 000005
【図３Ｂ】
2014233556.tif 000006
【図４】
2014233556.tif 000007
【図５Ａ】
2014233556.tif 000008
【図５Ｂ】
2014233556.tif 000009
【図５Ｃ】
2014233556.tif 000010
【図５Ｄ】
2014233556.tif 000011
【図６】
2014233556.tif 000012
【図７】
2014233556.tif 000013
【図８】
2014233556.tif 000014
【図９】
2014233556.tif 000015
【図１０】
2014233556.tif 000016
【図１１】
2014233556.tif 000017
【図１２】
2014233556.tif 000018